(57)【要約】【課題】  需要家に対してデマンドレスポンスの実行を簡易に要請することができるとともに、デマンドレスポンスを実行する需要家に対する適切な報酬額を算出したり需要家によって調整される電力量を予定通りの大きさにしたりすることが可能なデマンドレスポンスシステムを提供する。【解決手段】  デマンドレスポンスシステム１は、デマンドレスポンスの実行を需要家に要請する信号であるＤＲ信号をブロードキャストする信号送信部１１と、複数の需要家のそれぞれに対してデマンドレスポンスの対価である報酬額を算出する演算部１２と、系統供給電力量（指標電力量）のデータを記録するデータベース１３とを備える。演算部１２は、需要家がデマンドレスポンスを実行したことで削減（または増大）した系統供給電力量である削減電力量（調整電力量）が大きい需要家ほど高額になるように報酬額を算出する。【選択図】  図１
2018170925.tif 000002
【特許請求の範囲】
【請求項１】
商用電力系統から需要家に供給される電力量である系統供給電力量を削減または増大するデマンドレスポンスの実行を前記需要家に要請する信号であるＤＲ信号を、ブロードキャストする信号送信部と、
前記ＤＲ信号を受信する信号受信部と、前記信号受信部が受信した前記ＤＲ信号に基づいて所定の電気機器を制御することで前記デマンドレスポンスを実行する電気機器制御部とを有する複数の前記需要家のそれぞれに対して、前記デマンドレスポンスの対価である報酬額を算出する演算部と、
前記需要家のそれぞれにおける指標電力量を所定の単位時間毎に測定して得られたデータを随時記録するデータベースと、を備え、
前記指標電力量は、前記需要家が前記デマンドレスポンスを実行した場合と実行しなかった場合とで大きさが異なる電力量であり、
前記演算部は、前記データベースに記録されている前記需要家のそれぞれの前記指標電力量のデータに基づいて、前記需要家のそれぞれが前記デマンドレスポンスを実行したことで削減または増大した前記系統供給電力量である調整電力量を算出し、当該調整電力量が大きい前記需要家ほど高額になるように前記報酬額を算出することを特徴とするデマンドレスポンスシステム。
【請求項２】
前記指標電力量が、前記系統供給電力量、前記需要家が有する発電装置が発電する電力量、及び、前記需要家が有する蓄電池が放電または充電する電力量の少なくとも１つであることを特徴とする請求項１に記載のデマンドレスポンスシステム。
【請求項３】
前記演算部は、前記デマンドレスポンスの実行が要請されていた時間帯である対象時間帯における前記需要家のそれぞれの前記調整電力量を算出する際に、前記対象時間帯に近似する時間帯であって前記デマンドレスポンスの実行が要請されていなかった時間帯である比較時間帯における前記需要家のそれぞれの前記指標電力量に基づいて、前記需要家のそれぞれの基準電力量を算出し、前記対象時間帯における前記需要家のそれぞれの前記指標電力量から前記基準電力量を減算することで、前記需要家のそれぞれの前記調整電力量を算出することを特徴とする請求項１または２に記載のデマンドレスポンスシステム。
【請求項４】
前記演算部は、報酬総額を、前記調整電力量の大きさに応じて配分することで、前記需要家のそれぞれの前記報酬額を算出することを特徴とする請求項１〜３のいずれか１項に記載のデマンドレスポンスシステム。
【請求項５】
前記ＤＲ信号に、前記デマンドレスポンスの実行を要請する対象の電気機器の種類が含まれていることを特徴とする請求項１〜４のいずれか１項に記載のデマンドレスポンスシステム。
【請求項６】
前記需要家に対して前記デマンドレスポンスの実行が要請されている時間帯において、前記演算部は、前記データベースに記録されている少なくとも１人の前記需要家における当該時間帯よりも前の前記指標電力量のデータと、当該需要家における当該時間帯における前記指標電力量のデータとに基づいて、当該時間帯における前記需要家の前記調整電力量の合計値を推定し、当該合計値が所定の目標値から所定の程度以上乖離していることを検出することを特徴とする請求項１〜５のいずれか１項に記載のデマンドレスポンスシステム。
【請求項７】
前記データベースが、少なくとも１人の前記需要家のそれぞれが前記デマンドレスポンスを実行したことで削減または増大する前記系統供給電力量の期待値である調整電力量期待値のデータを記録しており、
前記演算部が、前記データベースに前記調整電力量期待値のデータが記録されている前記需要家の前記調整電力量を、当該需要家の当該調整電力量期待値のデータに基づいて算出することを特徴とする請求項１〜６のいずれか１項に記載のデマンドレスポンスシステム。
【請求項８】
商用電力系統から需要家に供給される電力量である系統供給電力量を削減または増大するデマンドレスポンスの実行を前記需要家に要請する信号であるＤＲ信号を、ブロードキャストする信号送信部と、
前記ＤＲ信号を受信する信号受信部と、前記信号受信部が受信した前記ＤＲ信号に基づいて所定の電気機器を制御することで前記デマンドレスポンスを実行する電気機器制御部とを有する複数の前記需要家のそれぞれに対して、前記デマンドレスポンスの対価である報酬額を算出する演算部と、
前記需要家のそれぞれが前記デマンドレスポンスを実行したことで削減または増大する前記系統供給電力量の期待値である調整電力量期待値のデータを記録するデータベースと、を備え、
前記演算部は、前記データベースに記録されている前記需要家の前記調整電力量期待値のデータに基づいて、前記需要家が前記デマンドレスポンスを実行したことで削減または増大した前記系統供給電力量である調整電力量を算出し、当該調整電力量が大きい前記需要家ほど高額になるように前記報酬額を算出することを特徴とするデマンドレスポンスシステム。
【請求項９】
前記データベースが、少なくとも１人の前記需要家である代表需要家のそれぞれにおける指標電力量を所定の単位時間毎に測定して得られたデータを随時記録しており、
前記指標電力量は、前記需要家が前記デマンドレスポンスを実行した場合と実行しなかった場合とで大きさが異なる電力量であり、
前記演算部は、前記デマンドレスポンスの実行が要請されていた時間帯である対象時間帯における前記需要家のそれぞれの前記調整電力量を算出する際に、前記対象時間帯における前記代表需要家の前記指標電力量のデータに基づいて、前記代表需要家以外の少なくとも１人の前記需要家の前記調整電力量期待値の妥当性を判定し、妥当であると判定した前記需要家の前記調整電力量期待値を、当該時間帯における当該需要家の前記調整電力量として算出することを特徴とする請求項７または８に記載のデマンドレスポンスシステム。
【請求項１０】
商用電力系統から需要家に供給される電力量である系統供給電力量を削減または増大するデマンドレスポンスの実行を前記需要家に要請する信号であるＤＲ信号を、ブロードキャストする信号送信部と、
前記ＤＲ信号を受信する信号受信部と、前記信号受信部が受信した前記ＤＲ信号に基づいて所定の電気機器を制御することで前記デマンドレスポンスを実行する電気機器制御部とを有する複数の前記需要家による前記デマンドレスポンスの効果を推定する演算部と、
前記需要家のそれぞれにおける指標電力量を所定の単位時間毎に測定して得られたデータを随時記録するデータベースと、を備え、
前記指標電力量は、前記需要家が前記デマンドレスポンスを実行した場合と実行しなかった場合とで大きさが異なる電力量であり、
前記需要家に対して前記デマンドレスポンスの実行が要請されている時間帯において、前記演算部は、前記データベースに記録されている少なくとも一部の前記需要家における当該時間帯よりも前の前記指標電力量のデータと、当該需要家における当該時間帯における前記指標電力量のデータとに基づいて、当該時間帯における前記需要家の前記調整電力量の合計値を推定し、当該合計値が所定の目標値から所定の程度以上乖離していることを検出することを特徴とするデマンドレスポンスシステム。
【発明の詳細な説明】
【技術分野】
【０００１】
本発明は、デマンドレスポンスの実行を需要家に要請するデマンドレスポンスシステムに関する。
【背景技術】
【０００２】
近年、商用電力系統の需給逼迫を抑制するために、デマンドレスポンスの活用が検討されている。デマンドレスポンスとは、商用電力系統から電力の供給を受ける需要家が、要請に応じて商用電力系統から供給される電力量を削減することである。
【０００３】
一般的に、電気事業者やアグリゲータは、商用電力系統の需給逼迫が予測される時間帯が到来する前に、契約を締結している需要家に対してデマンドレスポンスを要請し、その要請を受諾した需要家との間で削減する電力量を決定する。そして、当該時間帯において需要家が事前に決定した電力量を削減すると、電気事業者やアグリゲータは、当該需要家に対してデマンドレスポンスの対価である報酬を支払う。
【０００４】
特許文献１（特に、明細書の段落［０００３］〜［０００５］、請求項１、図７参照）では、商用電力系統から供給される電力量を制限された需要家において、当該需要家の生活環境を維持しながら、当該需要家が備える電力消費要素の消費電力を自律的に制御する電力制御システムが提案されている。
【０００５】
特許文献１で提案されている電力制御システムでは、同報送信要素が、配電盤を介して需要家が有する電力消費要素の全体で消費される総消費電力の現在値を測定し、当該現在値と基準値との差分を、当該需要家が有する電力消費要素のそれぞれに対して送信する。電力消費要素は、受信した差分と事前に記憶している優先度及び演算式とに基づいて、自らが消費するべき電力を算出して自律的に制御する。そして、同報送信要素が、電力消費要素のそれぞれに対して上記差分を繰り返し送信することによって、配電盤を介して測定される総消費電力の現在値を基準値に近づける。
【先行技術文献】
【特許文献】
【０００６】
【特許文献１】特開２０１６−３３８１７号公報
【発明の概要】
【発明が解決しようとする課題】
【０００７】
ところで、特許文献１の課題である総消費電力が制限された個別の需要家の内部における消費電力の「やりくり」も重要な問題であるが、電気事業者やアグリゲータにおける需要家の管理も重要な問題である。
【０００８】
特に、電気事業者やアグリゲータは、デマンドレスポンスの契約を締結する需要家が増えてくると、個々の需要家との間でデマンドレスポンスの諾否及び調整する電力量を決定するための通信が煩雑になる。その一方で、電気事業者やアグリゲータは、デマンドレスポンスの契約を締結する需要家を確保するために需要家の貢献に見合った適切な報酬額を算出する必要や、需要家によって調整される電力量を予定通りの大きさにする必要があるが、そのためには個々の需要家との間でデマンドレスポンスの諾否及び調整する電力量を決定しておくことが好ましい。
【０００９】
このように、需要家にデマンドレスポンスの実行を要請する電気事業者やアグリゲータには、個々の需要家との通信を簡易化したい反面、適切な報酬額を算出するためや需要家によって調整される電力量を予定通りの大きさにするためには個々の需要家との通信を簡易化できない（特に、デマンドレスポンスの諾否及び削減する電力量を決定するために双方向通信が必要）という、相反する問題があった。
【００１０】
そこで、本発明は、需要家と双方向通信することなく、需要家に対してデマンドレスポンスの実行を簡易に要請するとともに、需要家に対する適切な報酬額を算出したり需要家によって調整される電力量を予定通りの大きさにしたりすることが可能なデマンドレスポンスシステムを提供する。
【課題を解決するための手段】
【００１１】
上記目的を達成するため、本発明は、商用電力系統から需要家に供給される電力量である系統供給電力量を削減または増大するデマンドレスポンスの実行を前記需要家に要請する信号であるＤＲ信号を、ブロードキャストする信号送信部と、前記ＤＲ信号を受信する信号受信部と、前記信号受信部が受信した前記ＤＲ信号に基づいて所定の電気機器を制御することで前記デマンドレスポンスを実行する電気機器制御部とを有する複数の前記需要家のそれぞれに対して、前記デマンドレスポンスの対価である報酬額を算出する演算部と、前記需要家のそれぞれにおける指標電力量を所定の単位時間毎に測定して得られたデータを随時記録するデータベースと、を備え、前記指標電力量は、前記需要家が前記デマンドレスポンスを実行した場合と実行しなかった場合とで大きさが異なる電力量であり、前記演算部は、前記データベースに記録されている前記需要家のそれぞれの前記指標電力量のデータに基づいて、前記需要家のそれぞれが前記デマンドレスポンスを実行したことで削減または増大した前記系統供給電力量である調整電力量を算出することを第１の特徴とするデマンドレスポンスシステムを提供する。
【００１２】
このデマンドレスポンスシステムによれば、ＤＲ信号をブロードキャストするという簡易な方法で需要家にデマンドレスポンスの実行を要請しつつ、需要家の調整電力量に応じた適切な報酬額を算出することができる。
【００１３】
なお、上記の第１の特徴を有するデマンドレスポンスシステムにおいて、前記指標電力量が、前記系統供給電力量、前記需要家が有する発電装置が発電する電力量、及び、前記需要家が有する蓄電池が放電または充電する電力量の少なくとも１つであってもよい。
【００１４】
また、上記の第１の特徴を有するデマンドレスポンスシステムにおいて、前記演算部は、前記デマンドレスポンスの実行が要請されていた時間帯である対象時間帯における前記需要家のそれぞれの前記調整電力量を算出する際に、前記対象時間帯に近似する時間帯であって前記デマンドレスポンスの実行が要請されていなかった時間帯である比較時間帯における前記需要家のそれぞれの前記指標電力量に基づいて、前記需要家のそれぞれの基準電力量を算出し、前記対象時間帯における前記需要家のそれぞれの前記指標電力量から前記基準電力量を減算することで、前記需要家のそれぞれの前記調整電力量を算出してもよい。
【００１５】
このデマンドレスポンスシステムによれば、それぞれの需要家の実績に見合った調整電力量を算出することができる。
【００１６】
また、上記の第１の特徴を有するデマンドレスポンスシステムにおいて、前記演算部は、報酬総額を、前記調整電力量の大きさに応じて配分することで、前記需要家のそれぞれの前記報酬額を算出してもよい。
【００１７】
このデマンドレスポンスシステムによれば、需要家間における調整電力量の大小関係を反映させた報酬額を算出することができる。
【００１８】
また、上記の第１の特徴を有するデマンドレスポンスシステムにおいて、前記ＤＲ信号に、前記デマンドレスポンスの実行を要請する対象の電気機器の種類が含まれていてもよい。
【００１９】
このデマンドレスポンスシステムによれば、電気機器の特性（例えば、削減または増大可能な系統供給電力量の大小、デマンドレスポンスの即時実行の可否、デマンドレスポンスを実行することで需要家が受ける弊害の大小など）に応じて、より適切なデマンドレスポンスを需要家に実行させることができる。
【００２０】
また、上記の第１の特徴を有するデマンドレスポンスシステムにおいて、前記需要家に対して前記デマンドレスポンスの実行が要請されている時間帯において、前記演算部は、前記データベースに記録されている少なくとも１人の前記需要家における当該時間帯よりも前の前記指標電力量のデータと、当該需要家における当該時間帯における前記指標電力量のデータとに基づいて、当該時間帯における前記需要家の前記調整電力量の合計値を推定し、当該合計値が所定の目標値から所定の程度以上乖離していることを検出してもよい。
【００２１】
このデマンドレスポンスシステムによれば、デマンドレスポンスの効果が過少または過剰であることを検出することができるため、修正用のＤＲ信号をさらにブロードキャストするなどの対処を行うことが可能になる。
【００２２】
また、上記の第１の特徴を有するデマンドレスポンスシステムにおいて、前記データベースが、少なくとも１人の前記需要家のそれぞれが前記デマンドレスポンスを実行したことで削減または増大する前記系統供給電力量の期待値である調整電力量期待値のデータを記録しており、前記演算部が、前記データベースに前記調整電力量期待値のデータが記録されている前記需要家の前記調整電力量を、当該需要家の当該調整電力量期待値のデータに基づいて算出してもよい。
【００２３】
このデマンドレスポンスシステムによれば、演算部による調整電力量を算出するための演算を簡略化することができる。また、調整電力量期待値を算出した需要家の系統供給電力量のデータの収集及びデータベースへの記録を省略することができる。
【００２４】
また、本発明は、商用電力系統から需要家に供給される電力量である系統供給電力量を削減または増大するデマンドレスポンスの実行を前記需要家に要請する信号であるＤＲ信号を、ブロードキャストする信号送信部と、
前記ＤＲ信号を受信する信号受信部と、前記信号受信部が受信した前記ＤＲ信号に基づいて所定の電気機器を制御することで前記デマンドレスポンスを実行する電気機器制御部とを有する複数の前記需要家のそれぞれに対して、前記デマンドレスポンスの対価である報酬額を算出する演算部と、前記需要家のそれぞれが前記デマンドレスポンスを実行したことで削減または増大する前記系統供給電力量の期待値である調整電力量期待値のデータを記録するデータベースと、を備え、前記演算部は、前記データベースに記録されている前記需要家の前記調整電力量期待値のデータに基づいて、前記需要家が前記デマンドレスポンスを実行したことで削減または増大した前記系統供給電力量である調整電力量を算出し、当該調整電力量が大きい前記需要家ほど高額になるように前記報酬額を算出することを第２の特徴とするデマンドレスポンスシステムを提供する。
【００２５】
このデマンドレスポンスシステムによれば、ＤＲ信号をブロードキャストするという簡易な方法で需要家にデマンドレスポンスの実行を要請しつつ、需要家の調整電力量に応じた適切な報酬額を算出することができる。さらに、演算部による調整電力量を算出するための演算を簡略化することができるとともに、調整電力量を算出するためのデータの収集及びデータベースへの記録を簡略化することができる。
【００２６】
また、上記の第１及び第２の特徴を有するデマンドレスポンスシステムにおいて、前記データベースが、少なくとも１人の前記需要家である代表需要家のそれぞれにおける指標電力量を所定の単位時間毎に測定して得られたデータを随時記録しており、前記指標電力量は、前記需要家が前記デマンドレスポンスを実行した場合と実行しなかった場合とで大きさが異なる電力量であり、前記演算部は、前記デマンドレスポンスの実行が要請されていた時間帯である対象時間帯における前記需要家のそれぞれの前記調整電力量を算出する際に、前記対象時間帯における前記代表需要家の前記指標電力量のデータに基づいて、前記代表需要家以外の少なくとも１人の前記需要家の前記調整電力量期待値の妥当性を判定し、妥当であると判定した前記需要家の前記調整電力量期待値を、当該時間帯における当該需要家の前記調整電力量として算出してもよい。
【００２７】
このデマンドレスポンスシステムによれば、演算部による調整電力量を算出するための演算を簡略化するだけでなく、その正確性を担保することができる。
【００２８】
また、本発明は、商用電力系統から需要家に供給される電力量である系統供給電力量を削減または増大するデマンドレスポンスの実行を前記需要家に要請する信号であるＤＲ信号を、ブロードキャストする信号送信部と、前記ＤＲ信号を受信する信号受信部と、前記信号受信部が受信した前記ＤＲ信号に基づいて所定の電気機器を制御することで前記デマンドレスポンスを実行する電気機器制御部とを有する複数の前記需要家による前記デマンドレスポンスの効果を推定する演算部と、前記需要家のそれぞれにおける指標電力量を所定の単位時間毎に測定して得られたデータを随時記録するデータベースと、を備え、前記指標電力量は、前記需要家が前記デマンドレスポンスを実行した場合と実行しなかった場合とで大きさが異なる電力量であり、前記需要家に対して前記デマンドレスポンスの実行が要請されている時間帯において、前記演算部は、前記データベースに記録されている少なくとも一部の前記需要家における当該時間帯よりも前の前記指標電力量のデータと、当該需要家における当該時間帯における前記指標電力量のデータとに基づいて、当該時間帯における前記需要家の前記調整電力量の合計値を推定し、当該合計値が所定の目標値から所定の程度以上乖離していることを検出することを第３の特徴とするデマンドレスポンスシステムを提供する。
【００２９】
このデマンドレスポンスシステムによれば、ＤＲ信号をブロードキャストするという簡易な方法で需要家にデマンドレスポンスの実行を要請しつつ、デマンドレスポンスの効果が過少または過剰であることを検出して追加のＤＲ信号をさらにブロードキャストするなどの対処を行うことが可能になる。
【発明の効果】
【００３０】
上記の第１〜第３の特徴のデマンドレスポンスシステムによれば、需要家と双方向通信することなく、需要家に対してデマンドレスポンスの実行を簡易に要請するとともに、需要家に対する適切な報酬額を算出したり、需要家によって調整される電力量を予定通りの大きさにしたりすることができる。
【図面の簡単な説明】
【００３１】
【図１】本発明の実施形態に係るデマンドレスポンスシステムの構成の一例について示すブロック図。
【図２】本発明の実施形態に係るデマンドレスポンスシステムの構成の一例について示すブロック図。
【図３】ＤＲ信号に含まれる情報の一例について示す模式図。
【発明を実施するための形態】
【００３２】
＜デマンドレスポンスシステムの構成例＞
最初に、本発明の実施形態に係るデマンドレスポンスシステムの構成の一例について、図面を参照して説明する。図１及び図２は、本発明の実施形態に係るデマンドレスポンスシステムの構成の一例について示すブロック図である。なお、図１及び図２は、デマンドレスポンスシステム１と需要家Ｄ１〜Ｄ３との間でやり取りする信号を表現する都合上、２つの図面に分けて図示したものであり、図１及び図２のそれぞれにおいて図示しているデマンドレスポンスシステム１及び需要家Ｄ１〜Ｄ３の構成は同じである。
【００３３】
図１及び図２に示すように、デマンドレスポンスシステム１は、信号送信部１１と、データベース１２と、演算部１３とを備えている。なお、デマンドレスポンスシステム１は、需要家Ｄ１〜Ｄ３に対して、商用電力系統から需要家Ｄ１〜Ｄ３に供給される電力量である系統供給電力量を削減するデマンドレスポンスの実行を要請するものである。また、需要家Ｄ１〜Ｄ３は、デマンドレスポンスシステム１によってデマンドレスポンスの実行を要請され得る需要家の一部を代表させて例示したものである。
【００３４】
信号送信部１１は、例えば、衛星通信やインターネットなどの所定の通信方法により信号を送信する送信装置で構成される。特に、信号送信部１１は、デマンドレスポンスの実行を需要家Ｄ１〜Ｄ３に要請する信号であるＤＲ信号を、ブロードキャストする（送信相手を特定せず、信号を受信可能な不特定多数の相手に対して同一の信号を送信する）。
【００３５】
演算部１２は、例えば、ＣＰＵ（Central Processing Unit）などの演算装置及び半導体メモリなどの記憶装置で構成される。演算部１２は、信号送信部１１がブロードキャストするＤＲ信号の作成や、デマンドレスポンスを実行した需要家Ｄ１〜Ｄ３に支払うべき報酬額を算出する。
【００３６】
データベース１３は、例えば、ハードディスクなどの大容量のデータを記録可能な記録装置で構成される。データベース１３は、演算部１２による演算に必要なデータを記録している。特に、図２に示すように、データベース１３は、需要家Ｄ１〜Ｄ３から送信される系統供給電力量データを随時受信して記録する。
【００３７】
需要家Ｄ１は、信号受信部２１と、電力消費機器制御部３１と、電力消費機器４１と、電力量測定部５１とを備える。需要家Ｄ２は、信号受信部２２と、発電装置制御部３２と、発電装置４２と、電力量測定部５２とを備える。需要家Ｄ３は、信号受信部２３と、蓄電池制御部３３と、蓄電池４３と、電力量測定部５３とを備える。
【００３８】
信号受信部２１〜２３は、例えば、衛星通信やインターネットなどの所定の通信方法により送信される信号を受信する受信装置で構成される。特に、信号受信部２１〜２３は、信号送信部１１がブロードキャストするＤＲ信号を受信する。
【００３９】
電力消費機器制御部３１、発電装置制御部３２及び蓄電池制御部３３は、例えば、ＣＰＵなどの演算装置及び半導体メモリなどの記憶装置で構成される。また、電力消費機器４１は、例えば、エアコンや冷蔵庫などの電力を消費する電気機器で構成される。また、発電装置４２は、燃料電池やエンジン発電機などの発電を行う電気機器（特に、発電する電力量を制御可能な電気機器）で構成される。また、蓄電池４３は、リチウムイオン電池などの充電及び放電を行う電気機器で構成される。
【００４０】
電力消費機器制御部３１は、電力消費機器４１が消費する電力量を制御する。特に、電力消費機器制御部３１は、信号受信部２１が受信するＤＲ信号に基づいて、電力消費機器制御部３１が消費する電力量を制限する制御（電力消費機器３１を停止させる制御も含まれる）を行うことで、デマンドレスポンスを実行する。
【００４１】
発電装置制御部３２は、発電装置４２が発電する電力量を制御する。特に、発電装置制御部３２は、信号受信部２２が受信するＤＲ信号に基づいて、発電装置４２が発電する電力量を増大させる制御（発電装置４２の発電を開始させる制御も含まれる）を行うことで、デマンドレスポンスを実行する。
【００４２】
蓄電池制御部３３は、蓄電池４３が放電する電力量を制御する。特に、蓄電池制御部３３は、信号受信部２３が受信するＤＲ信号に基づいて、蓄電池４３が放電する電力量を増大させる制御（蓄電池４３の放電を開始させる制御も含まれる）を行うことで、デマンドレスポンスを実行する。なお、蓄電池制御部３３が、デマンドレスポンスを実行する時間帯において蓄電池４３を放電させて十分な電力量を供給できるようにするために、当該時間帯が到来する前に、蓄電池４３を充電させるように制御してもよい。
【００４３】
電力量測定部５１〜５３は、例えば、スマートメータなどの単位時間毎（例えば、３０分毎）の電力量を測定可能な機器で構成される。電力量測定部５１〜５３は、需要家Ｄ１〜Ｄ３の系統供給電力量を測定することで系統供給電力量データを作成し、当該系統供給電力量データをデータベース１３に対して送信する。
【００４４】
なお、図２では、電力量測定部５１〜５３からデータベース１３に対して直接的に系統供給電力量データが送信されるかのように図示しているが、系統供給電力量データが最終的にデータベース１３に入力されて記録されるのであれば、系統供給電力量データの通信経路はどのようなものであってもよい。例えば、電力量測定部５１〜５３が一般送配電事業者によって設置及び管理されているものである等の関係で、電力量測定部５１〜５３の測定によって得られた系統供給電力量データが一般送配電事業者のデータベースに送信されて記録されることになっている場合、一般送配電事業者のデータベースからデータベース１３に対して系統供給電力量データが自動的に（または、送信要求に応じて）送信されて記録されてもよい。
【００４５】
また、信号受信部２１及び電力消費機器制御部３１は、電力消費機器４１に対して設けられる当該電力消費機器４１の専用の装置であってもよいが、需要家Ｄ１が有する複数の電気機器の全体を制御する装置であってもよい。例えば、信号受信部２１及び電力消費機器制御部３１が、ＨＥＭＳ（Home Energy Management System）やＢＥＭＳ（Building Energy Management System）の一部であってもよい。信号受信部２２及び発電装置制御部３２、信号送信部２３及び蓄電池制御部３３も同様である。
【００４６】
また、図１及び図２では、デマンドレスポンスシステム１が、信号送信部１１、演算部１２及びデータベース１３で構成される場合について例示しているが、需要家Ｄ１〜Ｄ３に設けられている信号受信部２１〜２３、電力消費機器制御部３１、発電装置制御部３２及び蓄電池制御部３３の一部または全部を、デマンドレスポンスシステム１の一部として解釈してもよい。また、電力量測定部５１〜５３を、デマンドレスポンスシステム１の一部として解釈してもよい。
【００４７】
＜デマンドレスポンスシステムの動作例＞
次に、本発明の実施形態に係るデマンドレスポンスシステム１の動作の一例について説明する。まず、データベース１３に、実行すべきデマンドレスポンスの内容を指定する計画データが記録される。この計画データは、例えば、デマンドレスポンスを実行すべき日時、地域、削減すべき電力量（以下、「予定総削減電力量」とする）などを指定したデータであり、デマンドレスポンスシステム１の利用者（例えば、電気事業者やアグリゲータ）等が作成したデータであってもよいし、デマンドレスポンスシステム１の外部（例えば、電気事業者や一般送配電事業者）から送信されてくるデータであってもよい。
【００４８】
演算部１２は、計画データが指定する内容のデマンドレスポンスを実行するために必要なＤＲ信号を作成する。ここで、演算部１２が作成するＤＲ信号に含まれる情報の一例について、図面を参照して説明する。図３は、ＤＲ信号に含まれる情報の一例について示す模式図である。
【００４９】
図３に示すように、ＤＲ信号には、デマンドレスポンスを開始するタイミングである「開始日時」と、デマンドレスポンスを実行する時間である「継続時間」と、デマンドレスポンスを実行する地域である「対象地域」と、デマンドレスポンスの実行によって系統供給電力量を削減する程度である「強度」と、デマンドレスポンスを実行する電気機器の種類である「対象機種」とが含まれる。「強度」は、例えばＡ〜Ｅなどの段階（レベル）で表現される。また、「対象機種」は、例えば、デマンドレスポンスを実行する際の制御内容の違いや、デマンドレスポンスを実行することで削減される電力量の大きさ、デマンドレスポンスを実行することの容易さなどに基づいた分類の中から少なくとも１つを指定するものである。この分類として、例えば、『電力消費機器／電力供給機器』や、『電力消費機器／発電装置／蓄電池』、『空調機器／その他電力消費機器／発電装置／蓄電池』などが想定される。
【００５０】
例えば、「開始日時」、「継続時間」及び「対象地域」は計画データによって指定され、「強度」及び「対象機種」は演算部１２が決定する。この場合、データベース１３が、過去に演算部１２が作成して信号送信部１１が送信したＤＲ信号の履歴のデータを記録しており、演算部１２が、データベース１３に記録されている電力データ（即ち、過去の需要家毎の系統供給電力量）と過去に送信したＤＲ信号の履歴のデータとに基づいて、計画データで指定される予定総削減電力量を達成するための「強度」及び「対象機種」を決定する。
【００５１】
具体的に例えば、演算部１２は、計画データによって指定された「開始日時」、「継続時間」及び「対象地域」と同一または近似しているＤＲ信号を送信した過去の時間帯における系統供給電力量データと、過去のＤＲ信号における「強度」及び「対象機種」とに基づいて、デマンドレスポンスの実行によって削減された系統供給電力量である削減電力量（「調整電力量」に相当）の全需要家の合計と、過去のＤＲ信号における「強度」及び「対象機種」との関係を推定した上で、計画データで指定される予定総削減電力量を達成するために必要な「強度」及び「対象機種」を決定する。なお、演算部１２が、全需要家の削減電力量の合計と、過去のＤＲ信号における「強度」及び「対象機種」との関係を表すデータを生成した後、表示装置等を用いて当該データをデマンドレスポンスシステム１のオペレータに提示して、これから送信するＤＲ信号に含める「強度」及び「対象機種」の決定を当該オペレータに委ねてもよい。
【００５２】
このとき、例えば、演算部１２は、デマンドレスポンスの実行が要請されていた時間帯（以下、「対象時間帯」とする）における需要家のそれぞれの削減電力量を算出する際に、対象時間帯に近似する時間帯であってデマンドレスポンスの実行が要請されていなかった時間帯（以下、「比較時間帯」とする）における需要家のそれぞれの系統供給電力量に基づいて、需要家のそれぞれの基準電力量を算出する。さらに、演算部１２は、対象時間帯における需要家のそれぞれの系統供給電力量から基準電力量を減算することで、需要家のそれぞれの削減電力量を算出する。
【００５３】
具体的に例えば、演算部１２は、対象時間帯と比較して時間の他に季節や日付、曜日等が同一または近似する時間帯や、対象時間帯の直前及び直後の時間帯の少なくとも一方を比較時間帯として、需要家のそれぞれの比較時間帯における系統供給電力量を平均化するなどして、需要家のそれぞれの基準電力量を算出する。なお、演算部１２は、上記のように需要家毎に基準電力量及び削減電力量を算出してから当該削減電力量を合算することで需要家の削減電力量の合計を算出してもよいが、全需要家の系統供給電力量を予め合算しておき、その合算結果に基づいて上記と同様の方法によって全需要家の基準電力量の合計を算出し、全需要家の系統供給電力量の合計から全需要家の基準電力量の合計を減算することで、全需要家の削減電力量の合計を算出してもよい。
【００５４】
そして、信号送信部１１が、演算部１２が作成したＤＲ信号を、需要家Ｄ１〜Ｄ３に対して送信する。このとき、信号送信部１１が、同一のＤＲ信号を複数回送信すると、通信不良等でＤＲ信号を受信できない需要家の数を減らすことができるため、好ましい。
【００５５】
信号受信部２１〜２３がＤＲ信号を受信すると、電力消費機器制御部３１、発電装置制御部３２及び蓄電池制御部３３が、ＤＲ信号に基づいて電力消費機器４１、発電装置４２及び蓄電池４３を制御することで、デマンドレスポンスを実行する。例えば、電力消費機器制御部３１、発電装置制御部３２及び蓄電池制御部３３は、ＤＲ信号における「対象地域」に需要家Ｄ１〜Ｄ３が該当し、かつ、制御対象の電気機器（電力消費機器４１、発電装置４２及び蓄電池４３）が「対象機種」に該当していれば、「開始日時」から「継続時間」が経過するまで、「強度」に応じた削減量で系統供給電力量が削減されるように、電力消費機器４１、発電装置４２及び蓄電池４３を制御する。
【００５６】
また、演算部１２は、需要家Ｄ１〜Ｄ３のそれぞれについて、削減電力量を算出する。このとき、演算部１２は、上述と同様の削減電力量の算出方法により、需要家毎の削減電力量を算出する。即ち、演算部１２は、需要家のそれぞれの対象時間帯における系統供給電力量から、需要家のそれぞれの基準電力量を減算することで、削減電力量を算出する。これにより、それぞれの需要家の実績に見合った削減電力量を算出することができる。
【００５７】
そして、演算部１２は、削減電力量が大きい需要家ほど高額になるように報酬額を算出する。例えば、演算部１２は、電気事業者やアグリゲータによって設定された報酬総額を、需要家のそれぞれの削減電力量の大きさに応じて配分することで、需要家のそれぞれの報酬額を算出する。具体的に例えば、削減電力量の大きさに応じて比例配分（按分）してもよいし、１０ｋｗｈ以上や２０ｋｗｈ以上などの削減電力量のランクを設定するとともに当該ランクに応じて配分してもよい。この場合、需要家間における削減電力量の大小関係を反映させた報酬額を算出することができる。
【００５８】
以上のように、本発明の実施形態に係るデマンドレスポンスシステム１では、需要家と双方向通信することなく、ＤＲ信号をブロードキャストするという簡易な方法で需要家に対してデマンドレスポンスの実行を要請するとともに、需要家の削減電力量に応じた適切な報酬額を算出することができる。
【００５９】
＜変形等＞
［１］  上述の実施形態では、演算部１２が、データベース１３に記録された系統供給電力量データに基づいて需要家の削減電力量を算出しているが、少なくとも１人の需要家の削減電力量を簡易な方法で算出してもよい。例えば、少なくとも１人の需要家の削減電力量の期待値（以下、「削減電力量期待値」とする）のデータを予めデータベース１３に記録しておき、演算部１２が、データベース１３に削減電力量期待値のデータが記録されている需要家については、削減電力量期待値に基づいて削減電力量を算出してもよい。典型的には、削減電力量期待値をそのまま削減電力量として算出してもよい。
【００６０】
この場合、例えば、電気事業者やアグリゲータが、需要家とデマンドレスポンスの契約を締結する際（具体的には、信号受信部２１〜２３並びに電力消費機器制御部３１、発電装置制御部３２及び蓄電池制御部４３を設置する際や、デマンドレスポンスを実行することができるようにこれらを設定する際）に、デマンドレスポンスを試行して削減される電力量を確認し、この電力量に基づいて削減電力量期待値を算出してもよい。
【００６１】
また例えば、電気事業者やアグリゲータが、需要家とデマンドレスポンスの契約を締結した後、データベース１３に蓄積された数ヶ月や数年などの所定の期間における系統供給電力量データに基づいて上述の実施形態と同様の方法で算出される削減電力量を平均化するなどの方法によって、削減電力量期待値を算出してもよい。また、この場合、季節毎、月毎、曜日毎などの所定の単位毎の削減電力量を平均化して、所定の単位毎の削減電力量期待値を算出してもよい。
【００６２】
このように、削減電力量期待値に基づいて削減電力量を算出すると、演算部１２による削減電力量を算出するための演算を簡略化することができる。また、削減電力量期待値を算出した需要家の系統供給電力量データの収集及びデータベース１３への記録を、省略することができる。
【００６３】
なお、データベース１３が全ての需要家の削減電力量期待値を記録しており、演算部１２が、全ての需要家の削減電力量を、削減電力量期待値に基づいて算出してもよい。このように構成したデマンドレスポンスシステムであっても、上述の実施形態と同様に、需要家と双方向通信することなく、ＤＲ信号をブロードキャストするという簡易な方法で需要家に対してデマンドレスポンスの実行を要請するとともに、需要家の削減電力量に応じた適切な報酬額を算出することができる。
【００６４】
また、演算部１２が、上記のように削減電力量期待値に基づいて削減電力量を算出する場合、デマンドレスポンスの実行が要請されていた時間帯における、少なくとも１人の需要家（例えば、事業者や一般家庭のような需要家の種別や系統供給電力量の大きさなどに基づいて分けられたグループのそれぞれから抽出された代表的な需要家。以下、「代表需要家」とする。）の系統供給電力量データに基づいて、代表需要家以外の少なくとも１人の需要家（例えば、代表需要家以外の全ての需要家や、上記のグループにおける代表需要家以外の需要家。以下、「その他需要家」とする。）の削減電力量期待値の妥当性を判定し、妥当であると判定したその他需要家の削減電力量期待値を、当該時間帯における当該その他需要家の削減電力量として算出してもよい。
【００６５】
この場合、例えば、データベース１３に、代表需要家がデマンドレスポンスを実行した場合に予期される系統供給電力量（または、削減電力量）の範囲を記録しておく。そして、演算部１２が、デマンドレスポンスの実行を要請した期間における実際の代表需要家の系統供給電力量（または、削減電力量）が、予期される系統供給電力量（または、削減電力量）の範囲内であれば、その他需要家の削減電力量期待値を妥当であると判定する。また、演算部１２が、複数の代表需要家の系統供給電力量（または、削減電力量）に基づいて、その他需要家の削減電力量期待値の妥当性を判定する場合、例えば、演算部１２が、デマンドレスポンスの実行を要請した期間における実際の代表需要家の系統供給電力量（または、削減電力量）が、予期される系統供給電力量（または、削減電力量）の範囲内になる代表需要家が所定の割合以上（過半数や３分の２以上など）であれば、その他需要家の削減電力量期待値を妥当であると判定する。
【００６６】
またこの場合、例えば、演算部１２が、その他需要家の削減電力量期待値を妥当ではないと判定する場合、上述の実施形態と同様の方法でその他需要家の削減電力量を算出してもよいし、実際の代表需要家の系統供給電力量（または、削減電力量）と予期される系統供給電力量（または、削減電力量）との乖離がその他需要家にも生じていると仮定して当該その他需要家の削減電力量を推定してもよい。
【００６７】
このように、代表需要家の系統供給電力量データに基づいて、その他需要家の削減電力量期待値の妥当性を判定し、妥当であればその他需要家の削減電力量とすることで、演算部１２による削減電力量を算出するための演算を簡略化するだけでなく、その正確性を担保することができる。
【００６８】
［２］  上述の実施形態では、需要家Ｄ１〜Ｄ３のそれぞれが、１つの電気機器を制御してデマンドレスポンスを実行する場合について例示したが、少なくとも１人の需要家が、複数の同種または異種の電気機器を制御してデマンドレスポンスを実行してもよい。例えば、少なくとも１人の需要家が、複数の電力消費機器４１を制御してデマンドレスポンスを実行してもよいし、電力消費機器４１及び発電装置４２を制御してデマンドレスポンスを実行してもよい。
【００６９】
また、上述の実施形態では、需要家Ｄ１〜Ｄ３のそれぞれが、異なる種類の電気機器を制御してデマンドレスポンスを実行する場合について例示したが、需要家の全員が１種類の電気機器（例えば、電力消費機器、発電装置及び蓄電池のいずれか１種類）を制御してデマンドレスポンスを実行してもよい。この場合、図３で示したＤＲ信号において、「対象機種」を不要にすることができる。
【００７０】
ただし、ＤＲ信号に「対象機種」を含めて、デマンドレスポンスが実行される機種を選択的に制御可能にすると、電気機器の特性（例えば、削減可能な系統供給電力量の大小、デマンドレスポンスの即時実行の可否、デマンドレスポンスを実行することで需要家が受ける弊害の大小など）に応じて、より適切なデマンドレスポンスを需要家に実行させることができるため、好ましい。
【００７１】
［３］  上述の実施形態では、データベース１３が系統供給電力量データを随時記録するとともに、演算部１２が系統供給電力量（「指標電力量」に相当）に基づいて削減電力量などを算出する場合について例示したが、系統供給電力量以外の電力量（例えば、発電装置４２が発電する電力量や蓄電池４３が放電または充電する電力量。「指標電力量」に相当）であっても削減電力量を算出することが可能である。
【００７２】
そこで、例えば、発電装置４２を備えている需要家Ｄ２が、発電装置４２が発電する電力量の制御によってデマンドレスポンスを実行する場合、発電装置４２が発電する電力量を電力量測定部５２が測定してもよい。また例えば、蓄電池４３を備えている需要家Ｄ３が、蓄電池４３が充電または放電する電力量の制御によってデマンドレスポンスを実行する場合、蓄電池４３が放電または充電する電力量を電力量測定部５３が測定してもよい。
【００７３】
［４］  需要家に対してＤＲ信号をブロードキャストする場合、電気事業者やアグリゲータにおいて需要家におけるデマンドレスポンスの実行の有無や程度を把握することができないため、予定した通りの削減電力量が得られないことが懸念される。そこで、演算部１２が、データベース１３に記録されている系統供給電力量データに基づいて、需要家によるデマンドレスポンスの効果を推定するとともに、予定した通りの削減電力量が得られているか否かを検出してもよい。
【００７４】
例えば、演算部１２は、需要家に対してデマンドレスポンスの実行が要請されている時間帯よりも前の系統供給電力量データと、当該時間帯における系統供給電力量データとに基づいて、当該時間帯における需要家の削減電力量の合計値を推定する。具体的に例えば、演算部１２は、当該時間帯に近似する過去の時間帯（例えば、時間の他に季節や日付、曜日等が同一または近似する時間帯であって、好ましくはデマンドレスポンスの実行が要請されていた時間帯）における系統供給電力量に基づいて系統供給電力量の変動パターンを推定し、この変動パターンに現在の系統供給電力量を適用することで、このデマンドレスポンスの実行が要請されている時間帯における系統供給電力量を推定し、上述の実施形態と同様の算出方法で削減電力量を推定する。なお、演算部１２が、系統供給電力量の変動パターンの代わりに削減電力量の変動パターンを推定し、この変動パターンに現在の削減電力量を適用することで、このデマンドレスポンスの実行が要請されている時間帯における削減電力量を推定してもよい。
【００７５】
そして、例えば、演算部１２は、推定した削減電力量の合計値が、所定の目標値（例えば、予定総削減電力量）から所定の程度以上乖離している（過少及び過剰の少なくとも一方である）ことを検出する。このとき、演算部１２が、検出した乖離を縮小させるための追加のＤＲ信号を生成して信号送信部１１に与えてもよい（即ち、自律的に削減電力量を調整してもよい）し、表示装置等を用いて当該乖離を示すデータをデマンドレスポンスシステム１のオペレータに提示して、追加のＤＲ信号の内容や送信の要否の判断を当該オペレータに委ねてもよい。
【００７６】
このように、演算部１２が、需要家の削減電力量の合計値を推定して目標値から所定の程度以上乖離しているか否かを検出すると、デマンドレスポンスの効果が過少または過剰であることを検出して追加のＤＲ信号をさらにブロードキャストするなどの対処を行うことが可能になる。したがって、需要家によって削減される電力量を予定通りの大きさにすることが可能になる。
【００７７】
なお、上記［１］と同様に、代表需要家の系統供給電力量データのみに基づいて当該代表需要家の削減電力量を推定し、その推定結果に基づいてその他需要家の削減電力量を推定してもよい。
【００７８】
また、演算部１２が、上述の実施形態で説明した報酬額の算出を行うことなく、ここで説明したような予定した通りの削減電力量が得られているか否かの検出を行うようにしてもよい。
【００７９】
［５］  これまで、商用電力系統の需給逼迫時において需要家が系統供給電力量を削減するデマンドレスポンスシステムを実行する場合について説明してきたが、上述の実施形態に係るデマンドレスポンスシステム１は、商用電力系統の供給過剰時（例えば、多数の需要家が発電した電力を逆潮流する場合など）において需要家が系統供給電力量を増大するデマンドレスポンスシステムを実行する（例えば、熱源装置である電力消費機器４１を起動するまたは消費する電力量を増大させる、発電装置４２が発電する電力量を低減するまたは停止する、蓄電池４３の充電を開始するまたは充電する電力量を増大させるなど）場合にも適用可能である。
【００８０】
デマンドレスポンスシステム１において系統供給電力量を増大するデマンドレスポンスシステムを実行する場合、削減電力量などを算出する代わりに、増大電力量（「調整電力量」に相当）などを算出することになるが、上述の実施形態において説明した演算の正負が異なり得るだけである。
【００８１】
また、例えば、デマンドレスポンスシステムを実行した需要家が、増大電力量に対して通常時と同じ電力料金を支払い、後で報酬を受け取る場合、当該報酬の額が上述の実施形態における報酬額に相当する。また例えば、デマンドレスポンスシステムを実行した需要家が、増大電力量に対して通常時よりも安い電力料金を支払う場合、通常の電力料金との差額を上述の実施形態における報酬額としてもよい。
【００８２】
［６］  上述の実施形態及び変形例［１］〜［５］は、矛盾なき限り組み合わせて実施することが可能である。
【産業上の利用可能性】
【００８３】
本発明は、需要家にデマンドレスポンスの実行を要請するデマンドレスポンスシステムに利用することができる。
【符号の説明】
【００８４】
１      ：  デマンドレスポンスシステム
１１    ：  信号送信部
１２    ：  演算部
１３    ：  データベース
２１〜２３  ：  信号送信部
３１    ：  電力消費機器制御部
３２    ：  発電装置制御部
３３    ：  蓄電池制御部
４１    ：  電力消費機器
４２    ：  発電装置
４３    ：  蓄電池
５１〜５３  ：  電力量測定部
１６    ：  制御部
Ｄ１〜Ｄ３  ：  需要家
【図１】
2018170925.tif 000003
【図２】
2018170925.tif 000004
【図３】
2018170925.tif 000005